(57)【要約】【課題】一対の開閉扉の開放を、一方または両方選択して１つの開放動作で開放できる扉開放機構を備えた冷蔵庫を提供する。【解決手段】該貯蔵室２の左右に夫々軸支されて前記開口を中央よりから夫々開閉する第一の扉及び第二の扉とを備えた冷蔵庫において、前記第一の扉の底面に設けられた凹形状の手掛け部と、該手掛け部内に配置される凹部を有し左右に摺動する操作部材と、該操作部材を操作された場合に該操作部材と係合して前記第一の扉の反軸支側面から突出する連結部と、前記第二の扉に設けられ前記連結部が突出した場合に該連結部が係合する係合部と、を備え、前記操作部材を操作して前記連結部を前記第一の扉の反軸支側面から突出させた場合、前記第一の扉が開いてから、前記連結部と前記係合部が接触して前記第二の扉が所定距離開くことを特徴とする。【選択図】  図１
2010261675.tif 000002
【特許請求の範囲】
【請求項１】
本体筐体の前方に開口を有する貯蔵室と、
該貯蔵室の左右に夫々軸支されて前記開口を中央よりから夫々開閉する第一の扉及び第二の扉とを備えた冷蔵庫において、
前記第一の扉の底面に設けられた凹形状の手掛け部と、
該手掛け部内に配置される凹部を有し左右に摺動する操作部材と、
該操作部材を操作された場合に該操作部材と係合して前記第一の扉の反軸支側面から突出する連結部と、
前記第二の扉に設けられ前記連結部が突出した場合に該連結部が係合する係合部と、を備え、
前記操作部材を操作して前記連結部を前記第一の扉の反軸支側面から突出させた場合、前記第一の扉が開いてから、前記連結部と前記係合部が接触して前記第二の扉が所定距離開くことを特徴とする冷蔵庫。
【請求項２】
本体筐体の前方に開口を有する貯蔵室と、
該貯蔵室の左右に夫々軸支されて前記開口を中央よりから夫々開閉する第一の扉及び第二の扉とを備えた冷蔵庫において、
前記第一の扉の底面に設けられた凹形状の手掛け部と、
該手掛け部内に配置される凹部を有し左右に摺動する操作部材と、
前記操作部材が操作されていない場合は前記第一の扉の反軸支側面から突出しない第一の位置であって、且つ前記操作部材が操作された場合は該操作部材と係合して前記第一の扉の反軸支側面から突出した第二の位置となる連結部と、
該連結部及び前記操作部材を前記第一の扉の軸支側に付勢する弾性体と、
前記第二の扉に設けられ前記連結部が突出した場合に該連結部が係合する係合部と、を備え、
前記操作部材を操作して前記連結部を前記弾性体の付勢に抗して前記第一の位置から前記第二の位置となった場合、前記第一の扉が開いてから、前記連結部と前記係合部が接触して前記第二の扉が所定距離開き、前記連結部及び前記操作部材は前記弾性体の付勢により前記第一の位置に戻ることを特徴とする冷蔵庫。
【請求項３】
前記第二の扉の内壁周囲にマグネットを有するパッキンを備え、前記所定距離は少なくとも前記貯蔵室の前記開口の周囲から前記パッキンの着磁が解除される距離であることを特徴とする請求項１又は２に記載の冷蔵庫。
【請求項４】
前記連結部は前記第二の扉に設けられた回転仕切りが前記本体筐体との係合が解除される位置まで前記係合部に係合することを特徴とする請求項１又は２に記載の冷蔵庫。
【請求項５】
前記第一の扉の内部に充填された断熱材と、前記操作部材及び前記連結部が配置される空間とを隔てる隔壁を備えたことを特徴とする請求項１乃至４のいずれかに記載の冷蔵庫。
【発明の詳細な説明】
【技術分野】
【０００１】
本発明は、冷蔵庫に関するものである。
【背景技術】
【０００２】
近年、冷蔵庫が大容量化し、貯蔵室が大型化したことから、必然的に貯蔵室を覆う開閉扉も大型化している。この冷蔵庫の開閉扉は、その内側の周囲に磁石を備えたパッキンが設けられており、このパッキンが本体筺体の前面の金属性の枠体と密着することで、開閉扉を閉めた際に貯蔵空間を密閉している。このため、開閉扉を開放するためには、このパッキンと本体筺体との密着を解除しなければならない。したがって、大きな貯蔵室を覆う開閉扉を開放するためには、密着面積が大きいパッキンの密着を解除するために大きな力を必要とすることになる。
【０００３】
そこで、現在主流の冷蔵庫は、貯蔵室の最上部に最も大きな容積を有する冷蔵室を配置し、その前面の両側を回転軸で軸支される、所謂、観音開き構造の開閉扉（フレンチドア）で覆う構造としている。この観音開き構造の開閉扉によれば、パッキンの密着を２つの開閉扉で分散しているので、それぞれの開閉扉の開放を楽に行うことができる。しかも、食品の出し入れに際し、一々大きな冷蔵室全体を開放することなく、一方の開閉扉を開放することができるので、冷気漏れを低減する観点からも有利である。
【０００４】
一方、この観音開き構造の開閉扉は、一対の開閉扉間の冷気漏れを防ぐために、一方の開閉扉の自由端側に回転仕切りを備えている。この回転仕切りは、閉めた状態では、展開して一対の開閉扉の間を塞ぎ、開放した状態では、自由端側に折りたたまれる構造としている。このため、回転仕切りを備える開閉構造では、貯蔵室内の冷気漏れを軽減しつつ、回転仕切りを備える一方の開閉扉の開閉はもちろん、他方の開閉扉の開閉も自由に行うことができる。
【０００５】
また、この観音開き構造の開閉扉は、それぞれの開閉扉の下端部あるいは自由端の扉面に設けたハンドルを介して開閉できる構造としている。
【０００６】
そして、特許文献１には、片方の扉に連動して同時に両方の扉が開閉するようにした観音開き式の扉に関して、一方の扉を開閉すると支点が前後移動するようにリンク機構が作動して他方の扉も連動開閉する構成が開示されている。
【先行技術文献】
【特許文献】
【０００７】
【特許文献１】特開２００４−３２５０５１号公報
【発明の概要】
【発明が解決しようとする課題】
【０００８】
従来の観音開き構造の開閉扉によれば、冷蔵室内の食品の配置が分かっていれば、目的部分の前面を覆う一方の開閉扉を開放すればよいので、開放する力も少なく、しかも、冷気漏れを少なくすることができる。しかし、食品の配置が分からない場合は、一方の開閉扉を開いて、更に、他方の開閉扉を開くという二度手間の作業を行わなければならない、という課題がある。
【０００９】
また、他方の開閉扉を開く際に、回転仕切りの自由端を掴んで開けようとして開放できない、或いは、この回転仕切りを壊してしまう、という課題がある。
【００１０】
また、一度に一対の開放扉を開こうとすると、両手をそれぞれのハンドルに添えて開くことになり、大きな力が必要であるとともに、この開く際の姿勢も注意しなければならない、という課題がある。
【００１１】
これらの課題は、電動式の自動開閉機構を備えることで解決できるが、この自動開閉機構を採用するとコスト増加を招き、さらには、停電時に自動開閉機構が開閉扉の開閉に支障をきたす、という課題がある。
【００１２】
また、特許文献１に記載の構成では、選択された一方の扉のみを開放することができない、という課題がある。
【００１３】
そこで、本発明の目的は、一対の開閉扉の開放を、一方又は両方選択して１つの開放動作で開放できる扉開放機構を備えた冷蔵庫を得ることである。
【課題を解決するための手段】
【００１４】
前記目的を達成するために、この発明に係る冷蔵庫は、本体筐体の前方に開口を有する貯蔵室と、該貯蔵室の左右に夫々軸支されて前記開口を中央よりから夫々開閉する第一の扉及び第二の扉とを備えた冷蔵庫において、前記第一の扉の底面に設けられた凹形状の手掛け部と、該手掛け部内に配置される凹部を有し左右に摺動する操作部材と、該操作部材を操作された場合に該操作部材と係合して前記第一の扉の反軸支側面から突出する連結部と、前記第二の扉に設けられ前記連結部が突出した場合に該連結部が係合する係合部と、を備え、前記操作部材を操作して前記連結部を前記第一の扉の反軸支側面から突出させた場合、前記第一の扉が開いてから、前記連結部と前記係合部が接触して前記第二の扉が所定距離開くことを特徴とする。
【００１５】
また、本体筐体の前方に開口を有する貯蔵室と、該貯蔵室の左右に夫々軸支されて前記開口を中央よりから夫々開閉する第一の扉及び第二の扉とを備えた冷蔵庫において、前記第一の扉の底面に設けられた凹形状の手掛け部と、該手掛け部内に配置される凹部を有し左右に摺動する操作部材と、前記操作部材が操作されていない場合は前記第一の扉の反軸支側面から突出しない第一の位置であって、且つ前記操作部材が操作された場合は該操作部材と係合して前記第一の扉の反軸支側面から突出した第二の位置となる連結部と、該連結部及び前記操作部材を前記第一の扉の軸支側に付勢する弾性体と、前記第二の扉に設けられ前記連結部が突出した場合に該連結部が係合する係合部と、を備え、前記操作部材を操作して前記連結部を前記弾性体の付勢に抗して前記第一の位置から前記第二の位置となった場合、前記第一の扉が開いてから、前記連結部と前記係合部が接触して前記第二の扉が所定距離開き、前記連結部及び前記操作部材は前記弾性体の付勢により前記第一の位置に戻ることを特徴とする。
【００１６】
また、前記第二の扉の内壁周囲にマグネットを有するパッキンを備え、前記所定距離は少なくとも前記貯蔵室の前記開口の周囲から前記パッキンの着磁が解除される距離であることを特徴とする。
【００１７】
また、前記連結部は前記第二の扉に設けられた回転仕切りが前記本体筐体との係合が解除される位置まで前記係合部に係合することを特徴とする。
【００１８】
また、前記第一の扉の内部に充填された断熱材と、前記操作部材及び前記連結部が配置される空間とを隔てる隔壁を備えたことを特徴とする。
【発明の効果】
【００１９】
本発明によれば、一対の開閉扉の開放を、一方又は両方選択して１つの開放動作で開放できる扉開放機構を備えた冷蔵庫を得ることができる。
【図面の簡単な説明】
【００２０】
【図１】実施例に係る冷蔵庫の概略構成図である。
【図２】図１におけるＡ−Ａ方向の縦断面図である。
【図３】実施例に係る一方の開閉扉の開放機構部の組立図である。
【図４】実施例に係る一方の開閉扉の開放機構部の部分外観図である。
【図５】実施例に係る他方の開閉扉の開放機構部の部分外観図である。
【図６】実施例に係る開放機構部の動作説明図である。
【図７】実施例に係る開放機構部の動作説明図である。
【図８】実施例に係る開放機構部の動作説明図である。
【図９】実施例に係る開放機構部の動作説明図である。
【図１０】実施例に係る開放機構部の動作説明図である。
【図１１】実施例に係る開放機構部の動作説明図である。
【図１２】開閉扉に設けられたクローザ機構の動作説明図である。
【図１３】開閉扉に設けられたクローザ機構の動作説明図である。
【図１４】開閉扉に設けられたクローザ機構の動作説明図である。
【発明を実施するための形態】
【００２１】
以下、図１から図１４を参照して、この発明に係る実施の形態の冷蔵庫を具体的に説明する。なお、同一の部位や方向などは同一符号を持って示し、重複した説明を省略する。
【００２２】
まず、図１から図５を参照して、この実施の形態に係る冷蔵庫を具体的に説明する。図１は、実施例に係る冷蔵庫の概略構成図である。図２は、図１に示す実施例に係る冷蔵庫のＡ−Ａ方向の縦断面図である。図３は、図１に示す実施例に係る開閉扉の開放機構部８の組立図である。図４は、図１に示す実施例に係る一方の開閉扉の開放機構部８の部分外観図である。図５は、図１に示す実施例に係る他方の開閉扉の開放機構部８の部分外観図である。
【００２３】
図１において、冷蔵庫１は、複数の仕切壁で仕切られた複数の貯蔵室を備えた内容積が５００Ｌ以上の大型冷蔵庫である。この実施例は、最上部に冷蔵室２、その下方に左右に並んだ製氷室４及び第２冷凍室３、その下方に冷凍室５、最下部に野菜室６をそれぞれ備えている。この３つの温度帯の異なる貯蔵室は、それぞれ断熱仕切壁によって分割されている。また、中段の冷凍室５は、断熱材のない仕切壁で製氷室４および第２冷凍室３と分割されている。そして、各貯蔵室は断熱材が充填された開閉扉で、その前面を覆われることで密閉された貯蔵室を構成し、この開閉扉を開放することで食品の出し入れを行うことができる。本体筐体１１の両側面部には図示しないドア検知が設けられており、開閉扉２Ｌ，２Ｒが閉じられていることを検知する。
【００２４】
すなわち、この実施例では、最上部に一対の開閉扉２Ｌ，２Ｒを観音開きで開閉することができる冷蔵室２を配置し、その下段の左右に引出式の開閉扉３ａ，４ａをそれぞれ備えた第２冷凍室３と製氷室４とを配置し、その下段に引出式の開閉扉５ａを配置した第１冷凍室５を配置し、最下部に引出式の開閉扉６ａを配置した野菜室６を配置している。
【００２５】
そして、この実施例に係る冷蔵庫１の大きな特徴の１つは、一対の開閉扉２Ｌ，２Ｒの一方の開放動作にともなって、その一方の開閉扉２Ｒの単独の開閉なのか、あるいは、両方の開閉扉２Ｌ，２Ｒを同時に開放するのかを選択できる開放機構部８を備えた点にある。
【００２６】
すなわち、この実施例に係る開閉扉２Ｌ，２Ｒは、本体筺体１１の両側に設けたヒンジ機構１０を介して、このヒンジ機構１０側の固定端１０ａ側に設けられた回転軸３１を中心に対向する自由端１０ｂ側（反軸支側）を開放することができる。つまり、この実施例の開閉扉２Ｌ，２Ｒは、冷蔵庫１の両側の固定端１０ａを中心として、中央側の自由端１０ｂを移動させて開放することができる観音方式の構造、いわゆるフレンチドアを備えている。各開閉扉２Ｌ，２Ｒは、その扉内壁１８の周囲にパッキン１６を設けて、このパッキン１６が閉じた状態で本体筺体２又は回転仕切り２５（図８から図１１参照）と密着し、さらにパッキン１６に内包されたマグネットで吸着することで、冷蔵室２内の冷気が漏れない構造としている。
【００２７】
また、一対の開閉扉２Ｌ，２Ｒの自由端１０ｂ側は、この２つの開閉扉２Ｌ，２Ｒ間を塞ぐ回転仕切り２５がその隙間に沿って設けられている。この実施例では、左側の他方の開閉扉２Ｌに回転仕切り２５（図８から図１１参照）を設けている。この回転仕切り２５は、閉めた状態では、本体筐体１１と係合し、２つの開閉扉２Ｌ，２Ｒの間の隙間を塞ぎ、開いた状態では、他方の開閉扉２Ｒの自由端１０ｂ側の側面に折りたたまれて収納される。
【００２８】
一般に、このような観音開き式の開閉扉では、それぞれの開閉扉に設けられる手掛け部１２Ｌ，１２Ｒを介して開閉動作を行うことができる。この実施例では、開閉扉２Ｌ，２Ｒの自由端１０ｂ側の下端部に凹状の手掛け部１２Ｌ，１２Ｒを形成し、この手掛け部１２Ｌ，１２Ｒに手を掛けて手前に引っ張ることで開閉扉２Ｌ，２Ｒを開放することができる。したがって、一対の開閉扉２Ｌ，２Ｒを一度に開放するには、両方の開閉扉２Ｌ，２Ｒの手掛け部１２Ｌ，１２Ｒにそれぞれ手を引っ掛けて開放しなければならない。この際、それぞれの開閉扉２Ｌ，２Ｒは、パッキン１６に内蔵された磁石が金属性の本体筺体２に密着しているので、開閉扉２Ｌ，２Ｒを開放するためには、この２つの密着を解除するための大きな力が必要となる。しかも、２つの手掛け部１２Ｌ，１２Ｒを同時に操作すると利用者の足がそろう姿勢になるので、開ける動作が不安定となり、より多くの力を必要とする。もちろん、１個ずつ開放することもできるが、二度手間となる。
【００２９】
そこで、この実施例においては、一方の開閉扉２Ｒの前面側に操作部材１３と、この操作部材１３の動作に伴って開閉扉２Ｌ側に張り出す連結部１４を自由端１０ｂ側（反軸支側）に備え、他方の開閉扉２Ｌの自由端１０ｂ側に前記連結部１４と係合する係合部１５を備える開放機構部８を採用している。この構造において、操作部材１３を操作すれば、連結部１４が係合部１５と係合するので、操作部材１３を操作した状態のまま一方の開閉扉２Ｒの手掛け部１２Ｒに手を掛けて手前に引けば、一方の開閉扉２Ｒの開放動作に伴って他方の開閉扉２Ｌも開放させることができる。したがって、この実施例によれば、片手の動作で２つの開放動作を行うこととなるので、利用者が両方の扉を同時に開く際の手間を低減するとともに開放動作に伴う無理な姿勢をとらせることを軽減することができる。
【００３０】
図３に示しているのは、開閉扉の開放機構部の組立図である。手掛け部１２Ｒは、開閉扉２Ｒの扉底面部材９における自由端１０ｂ側（反軸支側）に、凹部として設けられている。
【００３１】
操作部材１３は、凹部１３ａ及び該凹部１３ａの下端部に設けられたフランジ部７を有している。そして、操作部材１３は、手掛け部１２Ｒの凹部内に凹部１３ａが収納されるように設けられる。すなわち、凹部１３ａは手掛け部１２Ｒ内に位置しており、フランジ部７の上端が手掛け部１２Ｒの下端と接することで、操作部材１３が適切に位置決めされる。
【００３２】
操作部材１３は、凹部１３ａが手掛け部１２Ｒ内に左右に摺動自在に組み込まれている。この構成において、操作部材１３を自由端１０ｂ方向にスライドさせると、連結された連結部１４は、右側の開閉扉２Ｒの端面（反軸支側面）から突出す構成である（図４（ａ）から（ｂ）の状態）。このとき、操作部材１３のフランジ部７は、手掛け部１２Ｒを形成する扉底面部材９の開口縁に沿って移動する。
【００３３】
これにより、操作者が手掛け部１２Ｒ内に手を挿入すると、同時に操作部材１３の凹部１３ａ内に手が位置するので、操作部材１３の操作性が向上する。また、操作部材１３が移動したことを目視することができ、確実な操作を実現できる。
【００３４】
次に、操作部材１３における開閉扉２Ｒの軸支側（連結部１４が設けられた端部とは反対側の端部）には、弾性体２３（一例としてコイルばね）が設けられている。弾性体２３は、操作部材１３に対して開閉扉２Ｒの軸支側に引き込むように弾性力が作用する。すなわち、操作部材１３を操作しない状態では、連結部１４が開閉扉２Ｒの端面（反軸支側面）から突出しない構成である。
【００３５】
１７は、開放機構部８を構成する操作部材１３と連結部１４を遮蔽する保護カバーである。
【００３６】
また、操作部材１３の凹部１３ａは、凹部で形成される手掛け部１２内に配置されるように箱型形状になっている。したがって、凹部１３ａの稜線を円弧形状で形成することで、清掃性にも優れた構造となる。勿論、操作部材１３と連結部１４は一体の部品であってもよい。
【００３７】
次に、図５を用いて、左側の開閉扉２Ｌについて説明する。開閉扉２Ｌの自由端１０ｂ側の面（反軸支側面）は、開閉扉２Ｌ，２Ｒが閉じられた際、右側の開閉扉２Ｒの反軸支側面と対向しており、連結部１４と対向した位置に凹部である係合部１５が設けられている。
【００３８】
また図２において、断熱材２０は、例えば発泡ウレタンであり、開閉扉２Ｌ，２Ｒの夫々の内部に液体の状態で注入されたのち化学反応によって発泡し、該開閉扉２Ｌ，２Ｒの内部を充填して製造される。そこで、扉底面部材９を隔壁として備えておくことで、断熱材２０が充填される領域を区画して、操作部材１３と連結部１４とを備えた開放機構部８のための空間を確保できる。
【００３９】
次に、左右の開閉扉２Ｌ，２Ｒを連動して開く構成について、図６及び図７を用いて、更に説明する。図６は、図４（ａ）の状態を示す図であり、図６（ａ）が底面側から見た図、図６（ｂ）が側面から見た概略断面図である。図７は、図４（ｂ）の状態を示す図であり、図７（ａ）が底面側から見た図、図７（ｂ）が側面から見た概略断面図である。なお、説明の便宜上、図６（ａ）及び図７（ａ）においては、保護カバー１７は図示していない。
【００４０】
まず、図６において、操作部材１３は、扉底面部材９と保護カバー１７に保持され、水平方向（図面上の左右方向）に移動可能に構成される。この状態では、弾性体２３（一例としてばね）により、操作部材１３は固定端１０ａ側に引っ張られた状態になっている。これにより連結部１４の先端は、一方の開閉扉２Ｒ内に収まっている。このため、手掛け部１２Ｒに片手を挿入して手前（図面上の上方）へ引けば、一方の開閉扉２Ｒだけを開放することができる。
【００４１】
一方、他方の開閉扉２Ｌも開放する場合、図７に示すように、手掛け部１２Ｒに挿入した片手を自由端１０ｂ側（反軸支側面）に押し付けると、操作部材１３が自由端１０ｂ側に移動する。この移動に伴って、連結部１４が自由端１０ｂ側へ移動し、連結部１４の先端が一方の開閉扉２Ｒの端面より飛び出して、他方の開閉扉２Ｌの対向する自由端１０ｂ側（反軸支側面）に設けた係合部１５に挿入される。ここで、連結部１４と左側の開閉扉２Ｌに設けられた係合部１５との間には、隙間Ｇａｐが設けられている。
【００４２】
次に上記構成で両側の開閉扉２Ｌ，２Ｒを開く動作について、図７から図１１を用いて説明する。図８から図１１は、左右の開閉扉２Ｌ，２Ｒを連動して開放する際の一連の動作を、下面から見た図である。
【００４３】
この実施例の大きな特徴の１つは、一方の開閉扉２Ｒの開放動作に伴って、他方の開閉扉２Ｒを、時間差を持って開放するようにした点である。
【００４４】
２つの開閉扉２Ｌ，２Ｒは、それぞれパッキン１６Ｌ，１６Ｒと本体筺体１１とが磁石で密着しており、２つの開閉扉２Ｌ，２Ｒを全く同時に開放しようとすれば、２つのパッキン１６を同時に本体筐体１１から着磁を解除する力（着磁距離よりも大きく開く力）を加える必要がある。そのため、片方の開閉扉だけを開く場合と比べて、開放に必要な力が略２倍必要になる。そこで、この２つのパッキン１６Ｌ，１６Ｒの密着を同時ではなく、時間差をもって本体筐体１１から離脱させれば、開閉扉２Ｌ，２Ｒの開放に必要な力を小さくして、軽快に開放することができる。
【００４５】
図７の状態で操作者が右側の開閉扉２Ｒを手前（図示上側）に引いて開く場合、図８に示すように、右側の開閉扉２Ｒに設けられたパッキン１６Ｒに内在されたマグネットが、冷蔵庫１又は回転仕切り２５から離間した後、連結部１４が係合部１５の開放接触部２４に当接する。ここまでの開き動作に必要な力は、右側の開閉扉２Ｒのみを単独に開く際の開き力と同等である。
【００４６】
ここで、Ｇａｐの寸法としては、パッキン１６Ｒに内在されたマグネットの着磁を確実に解除する以上の寸法（着磁距離よりも大きな距離）とすることが望ましい。
【００４７】
図８の状態から、さらに、操作者が右側の開閉扉２Ｒを手前に開くと、図９に示すように、開放接触部２４を介して左側の開閉扉２Ｌを開放する力が加わり、パッキン１６Ｌと本体筐体１１との密着が解除される。さらに、回転仕切り２５が回動して左側の開閉扉２Ｌが開放される。このとき、右側の開閉扉２Ｒは既に開放されており、ごく軽い力で開くことができる状態なので、左側の開閉扉２Ｌのみを開放する際と比べて開く力が特段に大きくなることはない。これにより、左右両方の開閉扉２Ｌ，２Ｒを一時に連動して開く場合であっても片側の扉のみを開く場合と同等の力で開くことができるので好適である。すなわち、左右両側の開閉扉２Ｌ，２Ｒを一つの動作で同時に開放することができる。
【００４８】
左右の開閉扉２Ｌ，２Ｒが開くと、互いに対向する端面と端面（開閉扉２Ｌ，２Ｒの夫々の反軸支側面）は、次第に距離が離れていく。図１０に示した状態が開閉扉２Ｌ，２Ｒが互いに離反する直前の状態であるとして、図１０の状態から、さらに右側の開閉扉２Ｒを手前に引くと、図１０から図１１に示すように、連結部１４の外周がもはや係合部１５の凹部とは接しなくなって離反する。すなわち、右側の開閉扉２Ｒは、操作者が手掛け部１２Ｒを持ったまま開き続ける。一方、左側の開閉扉２Ｌは、図１０に示した角度θが確実に開くことができる限界の角度となる。この開く限界の角度θと、下記にて説明するクローザの動作する角度との関係について、次に説明する。
【００４９】
従来から冷蔵庫の開閉扉においては、ドアを閉じる際にドアが完全に閉じられる近傍でドアを閉じる方向に付勢して、半ドアを防止するクローザと呼ばれる構成が用いられている。
【００５０】
図１２から図１４を用いて、このクローザ機構の一例の構成と動作について説明する。図１２から図１４は、開閉扉２Ｒが徐々に閉じられる動作を行う際のクローザの動きとクローザにより生じる力について示したものである。
【００５１】
このクローザは、一般的には開閉扉２Ｒの下端部に備えられているので、図１２から図１４は開閉扉２Ｒの下面を模式的に示している。なお、左側の開閉扉２Ｌも同様な構成が備えられている。本体筐体１１には、固定されたクローザ受け金具４６が取り付けられており、その一部には滑らかな曲面形状で形成されたカム部４６ｃが設けられている。開閉扉２Ｒには樹脂などの弾性を備えた材料で形成された変形部４７ａを備えたクローザ弾性体４７が備えられている。
【００５２】
図１２に示すように、開閉扉２Ｒが反時計方向ＣＣＷに回動して角度φ１まで閉じられると、クローザ弾性体４７の先端４７ａ部がクローザ金具４６のカム部４６ｃに接触し、クローザ弾性体４７の先端４７ａ部は矢印Ｆａ方向の反力を受けてたわむ。この力は扉の回転ヒンジ１０ａに対しては時計回りＣＷ方向、すなわち開閉扉２Ｒを開く方向に働くので、ユーザからみると、閉じている開閉扉２Ｒは途中から重くなる。さらに開閉扉２Ｒが閉じられて図１３に示すように開角度がφ２となり、クローザ弾性体４７とクローザ金具４６との接点が開閉扉２Ｒの回転ヒンジ１０ａと同一線上になり、中性点となる。クローザ弾性体４７とクローザ金具４６との間の力Ｆｂは、回転支点の方を向くため、モーメントとしては０となり、開閉扉２Ｒはバランスして開閉いずれの力も受けなくなる。そのために、この位置で半ドアになるおそれがある。中性点に至るまでにクローザ弾性体４７はたわみ、弾性エネルギを蓄積しているので、中性点を過ぎてさらに開閉扉２Ｒが閉じられず、図１４の状態になると、クローザ受け金具４６のカム部４６ｃからクローザ弾性体４７には矢印Ｆｃ方向の力が加わる。この力は開閉扉２Ｒの回転ヒンジ１０ａに対して、開閉扉２Ｒを閉じる方向（図１８では反時計回りＣＣＷ）のモーメントとなるので、この力によって開閉扉２Ｒは閉じられる。
【００５３】
ここで、左側の開閉扉２Ｌが確実に開かれる角度θと、クローザが中性点となる角度φ２との関係は、φ２＜θとなるように設定することが望ましい。反対にφ２＞θとすると図１４の状態まで一旦開いた左側の開閉扉２Ｌがクローザによって再度閉じられてしまうためである。
【００５４】
さらに、図示はしないが、回転仕切り２５が本体筐体１１との係止関係を解除する角度φ３として、クローザの動作する角度φ２と角度φ３との関係をφ２＜φ３とすると、φ３＜θになるように設定しなければならないことはいうまでもない。
【００５５】
上記の実施例においては、開放機構部８は右側の開閉扉２Ｒに設けられているものとしたが、開放機構部８を左側の開閉扉２Ｌに設け、操作部材１３を押すと右側の開閉扉２Ｒが連動して開くように左右逆の構成であってもよい。
【００５６】
また、前記一対の開閉扉を、一方が他方より横幅が大きく形成し、前記一方の開閉扉を横幅が大きな開閉扉とするようにしてもよい。
【００５７】
以上の構成によれば、一対の開閉扉を一連の開放動作で一方または両方選択して楽な力で開放することができ、片方の扉のみを開きたい場合には片方のみ、両方の扉を開きたい場合には両方の扉を同時に開くことができるので、例えば、片手がものを持って塞がっている場合においても、扉の開放が簡便であり、使いやすい冷蔵庫を提供できる。
【符号の説明】
【００５８】
１  冷蔵庫
２Ｌ，２Ｒ  開閉扉
７  フランジ部
８  開放機構部
９  扉底面部材
１０  ヒンジ機構
１１  本体筐体
１２Ｌ，１２Ｒ  手掛け部
１３  操作部材
１４  連結部
１５  係合部
１６Ｌ，１６Ｒ  パッキン
１７  保護カバー
１８  扉内壁
１９  扉正面壁
２０  断熱材
２１  パッキン取付溝
２３  弾性体
２４  開放接触部
２５  回転仕切り
【図１】
2010261675.tif 000003
【図２】
2010261675.tif 000004
【図３】
2010261675.tif 000005
【図４】
2010261675.tif 000006
【図５】
2010261675.tif 000007
【図６】
2010261675.tif 000008
【図７】
2010261675.tif 000009
【図８】
2010261675.tif 000010
【図９】
2010261675.tif 000011
【図１０】
2010261675.tif 000012
【図１１】
2010261675.tif 000013
【図１２】
2010261675.tif 000014
【図１３】
2010261675.tif 000015
【図１４】
2010261675.tif 000016